Podtech/llm-jp-corpus-v4-ja_patent huggingface dataset:
(57)【要約】【課題】  通常、線香の着火には点火道具を用いるが、線香の先端が平なため、線香の束の周囲にしか火がつかず、中心部までに着火するには時間がかかり、着火しづらかった。本発明は、線香の着火を容易にすることを目的にしたものである。【解決手段】  本発明は、線香ケースの底を段差状に形成し、丸型の段差部は山型状で、角型の段差部は階段状を特徴とした、線香の着火を容易にするものである。【選択図】図１
2011161176.tif 000002
【特許請求の範囲】
【請求項１】
線香を着火する際に線香を収容するケースの底面を段差状に形成し線香の着火を良くしたことを特徴とする着火用線香ケース。
【請求項２】
線香を収容するケースが丸型では底面を山型状にして段差を形成した請求項１の着火用線香ケース。
【請求項３】
線香を収容するケースが角型では底面を階段状にして段差を形成した請求項１の着火用線香ケース。
【発明の詳細な説明】
【技術分野】
【０００１】  本発明は、線香ケースの底を段差状に形成し、丸型の段差部は山型状で、角型の段差部は階段状を特徴とした、線香の着火を容易にするものである。
【背景技術】
【０００２】  従来、線香の着火は、線香そのものを直接手でもち、その先端に、点火道具により線香に着火していた。
【発明の概要】
【発明が解決しようとする課題】
【０００３】  通常、線香の着火には点火道具をもちいるが、線香の先端が平なため、線香の束の周囲にしか火がつかず、中心部までに着火するには時間がかかり、着火しづらかった。特に墓参りの際は風が吹くと、線香が束となっているので着火が難しく、時間を要していた。
本発明は、以上の問題点を解決するためのものである。
【問題を解決するための手段】
【０００４】（イ）線香ケースの底を段差状に形成したことを特徴とした線香ケースで、他の実施例と      して線香ケース丸型（１）の底は山型状（２）に形成する。
（ロ）線香ケースの底を段差状に形成したことを特徴とした線香ケースで、他の実施例と      して線香ケース角型（５）の底は階段状（６）に形成する。
以上のような構成よりなる線香ケース。
【発明の効果】
【０００５】  従来、着火しづらかった線香を、あらかじめ線香ケース丸型（１）又は角型ケース（５）の筒の中へ入れ、強制的に山型先端部にすることにより、平であった先端部が山型先端部（４）および階段型先端部（７）になるので、線香の束の周囲だけでなく、中心を含め全体に、若しくは均一に火が回り、簡単に早く着火出来るようになる。この事により、風が少々吹いても短時間で着火出来るようになった。
【図面の簡単な説明】
【０００６】
【図１】本発明のケース丸型の斜視図である。
【図２】本発明のケース丸型に線香を収めた使用状態を示す斜視図である。
【図３】本発明のケース角型の斜視図である。
【図４】本発明のケース角型に線香を収めた使用状態を示す斜視図である。
【発明を実施するための形態】
【０００７】  以下、本発明の実施の形態を説明する。
（イ）線香ケース丸型（１）の筒の底面に山型状（２）の段差を形成し、線香（３）を入      れた時に線香先端が山型先端部（４）になる。
（ロ）線香ケース角型（５）の筒の底面に階段状（６）の段差を形成し、線香（３）を入      れた時に線香先端が階段型先端部（７）になる。
本発明は、以上のような構造である。
本発明を使用するときは、着火しづらかった線香を、あらかじめ線香ケース丸型（１）の筒の中に、線香（３）を入れ、強制的に山型先端部（４）にすることにより、平であった先端部が山型になるので、線香の束の周囲だけでなく、中心を含め全体に火が回り、簡単に早く着火出来るようになる。
又、線香ケース角型（５）においても、あらかじめ線香ケース角型（５）の筒の中に、線香（３）を入れ、強制的に階段型先端部（７）にすることにより、平であった先端部が階段型になるので、線香が固まらずバラバラとなって、線香どうしに隙間が生じ、線香の束の周囲だけでなく、全体に均一に火が回り、簡単に早く着火出来るようになる。
【符号の説明】
【０００８】１  線香ケース丸型
２  山型状
３  線香
４  山型先端部
５  線香ケース角型
６  階段状
７  階段型先端部
【図１】
2011161176.tif 000003
【図２】
2011161176.tif 000004
【図３】
2011161176.tif 000005
【図４】
2011161176.tif 000006
(57)【要約】【課題】今まで、フード付衣類を干すと、フード部分が垂れ下がり衣類の背中の部分と重なり、重なったフード部分が乾きにくかった。【解決手段】フード付衣類を掛けたハンガーを掛ける穴を設け、そこから少し離れた所にフード部分を引っ掛けるフード用フックを２つ設ける。【選択図】図１
2011161180.tif 000002
【特許請求の範囲】
【請求項１】
長方形の支持板があり、その支持板の長手方向の両端部にフックを有し、又支持板の中方向の下端部には、長手方向に複数のハンガー通し穴を設け、さらに支持板の任意の位置に複数のフード留め用フックを備えたことを特徴とする、フード付衣類用干し補助具である。
【発明の詳細な説明】
【技術分野】
【０００１】この発明は、１度に複数枚のフード付衣類を効率よく干すことが出来る、フード付衣類用干し補助具である。
【背景技術】
【０００２】これまで、１度に複数枚のフード付衣類を効率よく干せる洗濯用品がなかった。
【発明の概要】
【発明が解決しようとする課題】
【０００３】今まで、フード付衣類を干す際に、フード部分が垂れ下がり、衣類の背中部分が重なりフード部分が、乾きにくかった。【０００４】１度に、複数枚のフード付衣類を干せる洗濯用品がなかった。【０００５】本発明は、この２つの課題を解消するものである。
【課題を解決するための手段】
【０００６】長方形の支持板があり、その支持板の長手方向の両端部にフックを有し、又支持板の中方向の下端部には、長手方向に複数のハンガー通し穴を設け、さらに支持板の任意の位置に複数のフード留め用フックを備えたことを特徴とする、フード付衣類用干し補助具である。
【発明の効果】
【０００７】本発明は、フード付衣類のフード部分の乾きにくさを軽減し、なおかつ１度に複数枚のフード付衣類を干すことが出来る。
【発明を実施するための最良形態】
【０００８】以下、本発明の実施例について、図３〜４に基づいて説明する。
【０００９】フード付衣類を掛けたハンガーを、ハンガー通し穴に掛けて、フード用フック３，３Ａにフードの先端を広げて、フード用フックに引っ掛ける。
【００１０】本発明は、以上のような構造で、これを使用するときは、フックを物干し竿等に掛けて使用する。
【図面の簡単な説明】
【００１１】
【図１】  本発明の正面図である。
【図２】  本発明を上から見た図である。
【図３】  本発明にフード付衣類を４枚干したときの正面図である。
【図４】  本発明にフード付衣類を４枚干したときの上から見た図である。
【符号の説明】
【００１２】  本考案のフード付衣類用干し補助具
１    フック
１Ａ  フック
２    ハンガー通し穴
３    フード用フック
３Ａ  フード用フック
４    支持板
【図１】
2011161180.tif 000003
【図２】
2011161180.tif 000004
【図３】
2011161180.tif 000005
【図４】
2011161180.tif 000006
(57)【要約】【課題】就寝中に起る布団のずれを防止する安価で耐久性に優れた固定具を提供する。【解決手段】布団端部を固定具の内側にくわえ込む事で外れにくく端部にのみ力がかかりその負荷は固定具全体で受ける事で耐久性があるという特性を持たせたアラビア数字の３のような形状をした布団固定具。【選択図】図３
2011161175.tif 000002
【特許請求の範囲】
【請求項１】
弾性素材で成型された三箇所の端部でのみ挟み込み全体でその負荷を受ける事で破損、変形の可能性を低減したアラビア数字の３のような形状をしている固定具。
【請求項２】
固定具の内側にふくらみを持たせた事で布団の端部が入り込み押さえられた箇所より膨らんだ状態になる事で固定具から引っ張り出そうとする力に対して容易には外れない固定具。
【発明の詳細な説明】
【技術分野】
【０００１】  本発明は、就寝中の敷布団と掛け布団等のずれを防止する安価な固定具に関するものである。
【背景技術】
【０００２】  就寝中の布団のずれは、寝返り等で誰でも起りうる事象であり大多数の人が、夜中にずれを直すとい  うわずらわしい作業を経験している。【０００３】  このような問題の解決のために布団を固定する道具が発明されている。（例えば特許文献１参照）又、安価な点に配慮したものも発明されている。（例えば特許文献２参照）
【先行技術文献】
【特許文献】
【０００４】
【特許文献１】  特開平１２−３４２４１６号  公報
【特許文献２】  特開平２０−２７２２８２号  公報
【発明の概要】
【発明が解決しようとする課題】
【０００５】  しかしながら構造が複雑な物はコストの面での問題が懸念されコストの面を配慮した構造体は単純な構造にせざる得ないため負荷のかかり方等、挟み込む布団の厚さにより破損、変形等耐久性が懸念される。【０００６】  本発明は以上に述べた従来の懸念される点を解決しようとするものであり、安価で耐久性に優れた構造体のものを提供することを目的とする。
【課題を解決するための手段】
【０００７】  上記の課題を解決するために請求項１に記載の形状により三箇所の端部によって挟み込む事で荷重を一点にすることで素材の弾性力のみで十分な力が確保できることを特徴とする固定具である。【０００８】  請求項２による形状の内側のふくらみ部に布団の端部を折り曲げてくわえ込まれる事で布団を引っ張る力が加わっても布団自身が引っかかってはずれにくい事を特徴とする。【０００９】  これらの力は、構造体全体で受けるため、破損、変形等の可能性を低減できることを特徴とする。
【発明の効果】
【００１０】  本発明の布団固定具は以上述べたような構成からなり次に示す効果が期待できる。【００１１】  単純な一体成型の構造体のため安価で取り外しの行為時も掛け布団と敷布団を損傷させる事もなくつなげられ、布団のずれ防止が容易に行える。
【図面の簡単な説明】
【００１２】
【図１】  本願発明の斜視図
【図２】  取付状態のイメージ図１
【図３】  取付状態のイメージ図２
【図４】  取付作業時のイメージ図
【発明を実施するための形態】
【００１３】  図２、図３は具体的な掛け布団と敷布団の連結図である。一箇所に集中して力がかかり内側のふくらみ部に布団端部が入り込んでいて力が加わっている箇所よりも内容物（綿等）が大きく膨らんでいるため少々の力では外れない状態となる。
【００１４】  図４は取付時の固定具の状態図である。固定具に負荷がかけられても全体で力を受けるため破損、変形のような状況にはならない。
【符号の説明】
【００１５】１  固定具本体
２  上部押さえ用端部
３  中間部押さえ用端部
４  下部押さえ用端部
５  掛け布団用内側ふくらみ部
６  敷布団用内側ふくらみ部
７  掛け布団
８  敷布団
【図１】
2011161175.tif 000003
【図２】
2011161175.tif 000004
【図３】
2011161175.tif 000005
【図４】
2011161175.tif 000006
(57)【要約】【課題】      雨天時のゴルフプレーに於いて手にはめているグローブが雨に濡れることによってクラブを握るときにスリップし確実なショットが不可能となり、その為スコアーの乱れを生じゴルフをプレーする者にとっては今まで具体的な解決策もなく雨天時のプレーの悩みであった。【解決手段】  超吸水性素材で構成される本発明品を傘のシャフトの付け根に装着し濡れたグローブで本発明品を数秒間握ることによってグローブの水分を吸収させ次のプレーに於いて確実なグリップを得るものである。又本発明品本体が傘のシャフトに装着できる為プレーの邪魔にならず且短時間のうちにグローブの水分を吸収し次打を確実に打つ事が出来るものである。【選択図】図１
2011161173.tif 000002
【特許請求の範囲】
【請求項１】
雨天時のゴルフのプレーに於いて濡れたグローブの水分を吸収しグリップの安定を図る為柔軟性超吸水素材で構成されるゴルフグローブ吸湿器。
【請求項２】
形状を中空の筒状とし傘のシャフトに装着して使用できるゴルフグローブ吸湿器。
【請求項３】
装着方法として傘の構成部分の所謂骨を利用した落下防止機能を持ったゴルフグローブ吸湿器。
【発明の詳細な説明】
【技術分野】
【０００１】  本発明は雨天時のゴルフプレーに於いて濡れたグローブの水分を吸収し、しっかりとグリップ力を確保する事。
【背景技術】
【０００２】  雨天時のゴルフプレーでは手にはめているグローブがすぐに雨に濡れ、クラブを握った時に滑ってしまいショットにかなりの影響があった。一般的にはタオル等でその都度ぬぐっていたが不完全且つタオル自体もすぐに濡れてしまうのでほとんどその用を成していなかった為雨天時のプレーに於いてはかなりの課題となっていた。【０００３】  そこで本発明品は超吸水素材の特性を利用しコンパクトに成型しこれを傘のシャフトに装着する事でわざわざ取り出す手間を省き、ゴルフプレーヤーが数秒間これを握ることにより手軽に且つ簡単にグローブの水分を吸収させ今までの課題であったグリップのスリップを解消するものである。
【先行技術文献】
【特許文献】
【０００４】
【特許文献１】  特開平０３−０２７１４９
【特許文献２】
【非特許文献】
【０００５】
【非特許文献１】
【非特許文献２】
【発明の概要】
【発明が解決しようとする課題】
【０００６】  以上に述べたように雨天時のプレーに於いての濡れたグローブを使用してのプレーではスコアーを悪くする一因となりそれに対しての具体的な解決方法がなく、それぞれのプレーヤーが個々の方法で対処していたが、どれもが解決できうる方法ではなかった。【０００７】本発明は、このような全てのプレーヤーが持つ雨天時のプレーに於いての悩みを解決できるものである。
【課題を解決するための手段】
【０００８】  そこで、本発明は上記の問題を解決する為、柔軟性のある超吸水素材を使用し濡れたグローブの水分を吸収させようとするものである。【０００９】  その上、従来のタオル等の様にかさばらず且つ手軽に使用出来るように、超吸水素材を筒状の形状に成型し雨天時には必ず使用する傘のシャフトに装着出来るようにしたうえ、それを固定させ落下しないようにする為本発明品の上部分に複数個のＴ字型突起図１−Ｂを構成しそれを傘の所謂  骨  図２−Ｆ  の部分に引っ掛るようしたものである。
【発明の効果】
【００１０】  上述したように本発明品は雨天時のプレーに於いて妨げとならない様本体を最小限にし、効果を存分に発揮するものである。又傘のシャフトの根元に装着する事により本発明品自体も濡れにくくなるためプレーのスタートから終了まで効果を発揮するものである。【００１１】  さらに、本発明品が傘に装着されている為、プレーヤーは次打を打つ直前に本発明品を数秒握りグローブの水分を吸収させた直後にクラブを握ることが出来る為、より確実なグリップを得て、スコアーアップにつながる事が期待できその効果を最大限発揮できるものである。【００１２】  ゴルフ  と言う世界的なスポーツにかかわる為日本国内はもとより、世界中のプレーヤーにとって必需品になるものである。特にプロゴルファーにとっては、その一打、一打に賞金と言う収入に大きな影響があるので雨天時のグリップのスリップは、大きな悩みである。それを解決出来うる本発明品は競技でのスコアーアップが望め世界中のプロゴルファーにとってまさしく必需品になり広く使用されるものである【００１３】  プレー後本発明品は柔軟性のある素材である為傘から外し吸収した水分を絞る事によってその効果を復元させ繰り返し使用できるものである。また構造及び本発明品自体もコンパクトな為あらかじめ複数個所有し使用頻度の高いとき等は複数個交換使用する事によって効果を発揮する事も可能である。
【図面の簡単な説明】
【００１４】
【図１】  本発明品本体。
【図２】  雨天時使用する傘。
【図３】  本発明品を傘に装着したところ。
【図４】  本発明品の上部の構成部分を傘の骨に装着した拡大図。
【発明を実施するための形態】
【００１５】  以下本発明品の実施を図１〜図４に基づいて説明する。
【００１６】  図１−Ａは本発明品本体である。図１−Ｂは本体上部の構成部分で図２−Ｆで表す傘の骨部分に装着する部分である。図１−Ｃで指し示した切れ目部分は傘のシャフトに本発明品を装着するときに若干左右に広げシャフトに装着する。図１−Ａの筒状の本体の内径図１−Ｇは標準的な傘のシャフトより若干細めにして装着した後シャフトに密着する様にし、図１−Ｂと共に本体の落下防止に役立つ構造とする。
【００１７】  図１−Ａの本発明品本体を図２−Ｄの傘のシャフトに上述したように装着し図１−Ｂの本体上部Ｔ字型構成部分を図２−Ｆの傘の骨の部分に装着し図２−Ｅの部分に固定する
【００１８】  図３は本発明品図１−Ａを傘に装着し本発明品の上部Ｔ字型構成部分図１−Ｂを傘の骨、図２−Ｆに装着した様子の図である。
【００１９】  図４は本発明品図１−Ｂ部分を傘の骨図２−Ｆ部分に装着し落下しない仕組みを拡大したものである。図１−ＢのＴ字型突起部分は突起の先端部分を数本ある図２−Ｆの骨と骨の間に差込みＴ字型の頭の部分が引っかかり落下してこない仕組みである。尚本発明品は上述したように柔軟性素材で構成される為傘の骨図２−Ｆの本数に関係なく多種類の傘にこのような装着方法を可能とするものである。
【実施例】
【００２０】  試作品を製作し実際に一般的な雨天時に自分自身使用してみた結果、予想を上回る結果を出す事が出来た。特に傘のシャフトに装着する事によって上述したように次打を打つ直前にグローブの水分を取り除ける為ほとんど雨に濡らすことなくグリップを握る事が出来安定したショットをする事が出来る事を確認した。
【産業上の利用可能性】
【００２１】  特にプロゴルフ界に於いて大いに貢献できる発明に成りうると思われる。
【符号の説明】
【００２２】図１−Ａ    本発明品本体。
図１−Ｂ    本発明品上部取り付け構成部分。
図１−Ｃ    本発明品下部取り付け構成部分。
【図１】
2011161173.tif 000003
【図２】
2011161173.tif 000004
【図３】
2011161173.tif 000005
【図４】
2011161173.tif 000006
(57)【要約】【課題】  携帯オーディオ機器、小型ノートパソコンなどの電子ディバイスや、女性が携行する化粧道具入れや、携行する文房具類や書籍・文庫本などを、メインのバッグ・カバンに収納し持ち運び、その物を小分けして持ち歩くという機会がある。【解決手段】  袋本体と取っ手を着脱可能にするために、取っ手結合させる袋本体の２箇所の１つにボタンを取り付け、もう１つにボタンを留めるボタン穴を取り付ける。取っ手の結合部分の２箇所にも、本体と同様に１つにボタンを取り付け、もう１つにボタンを留めるボタン穴を取り付けることにより、取っ手の着脱を可能にする。また、袋本体のみでも袋の口元開口部に付いているボタンとボタンを留めるボタン穴とで結合できるために、袋本体だけでも収納機能を持ち合わせた袋として使用が可能になり、メインのバッグ・カバンの中の小分け収納袋の役割も果たし、且つ取っ手を取り付けて手提げ袋としての役割を果たすことができる。【選択図】図１
2011161177.tif 000002
【特許請求の範囲】
【請求項１】
手提げ袋の取っ手と袋本体部分との着脱を可能にするために、ボタンとボタンを留めるボタン穴を、本体結合部分と取っ手結合部分に取り付け、取っ手と本体部または、本体部同士ボタンを入れ子に組み合わせ取り付けることにより、取っ手の着脱のみならず、袋本体も口元開口部をボタンで留めることができ、単体で収納袋としても活用できる取っ手着脱可能な手提げ袋。
【発明の詳細な説明】
【技術分野】
【０００１】  本発明は、日常生活で使用する手提げ袋の多目的な使用を可能にする仕様構造に関する。
【背景技術】
【０００２】  物や書類などを収納して持ち運ぶための手提げ袋は、様々な用途に合わせた仕様や機能を持ち合わせたものが存在しているが、手提げ袋の取っ手の部分の仕様構造で取っ手の握り易さや（例えば、特許文献１参照）、取っ手の強度を高める（例えば、特許文献２参照）こと等を目的とした発明は存在する。
【先行技術文献】
【特許文献】
【０００３】
【特許文献１】  特開平０９−２２６７８２号  公報
【特許文献２】  特開平１０−０２３９１６号  公報
【発明の概要】
【発明が解決しようとする課題】
【０００４】  比較的大きい、または量の多い物を持ち運ぶ場合には、取っ手の付いた手提げ袋の活用が有効であるが、携帯オーディオ機器、小型ノートパソコンなどの電子ディバイスや、女性が携行する化粧道具入れや、携行する文房具類や書類・書籍などを、メインのバッグ・カバンに収納し持ち運び、その物を小分けして持ち歩く場合がある。例えば事務所、学校やスポーツジムなどで、メインのバッグ・カバンをロッカー等に置き、必要なものだけをその施設内で持ち歩くという機会がある。
【課題を解決するための手段】
【０００５】  普段持ち歩くメインのバッグ・カバンの中に小分けして持ち歩きたい物を収納する袋（ケース）に持ち歩く時に取っ手が付き、手提げ袋として使用できるものがあれば、課題解決できるのである。【０００６】  袋（ケース）本体と取っ手のパーツを縫い付けずに、取っ手のパーツと本体の結合方法をボタンで行い、着脱を可能にする。【０００７】  本来、手提げ袋は２つの取っ手と本体の袋部分で構成されていて、１つの取っ手を本体２箇所で取り付けているわけだが、袋（ケース）本体の結合部分の２箇所の１つの箇所にボタンを取り付け、残りのもう１つの箇所には、ボタンを留めるボタン穴を取り付け、取っ手の結合部分の２箇所にも、本体と同様に１つの箇所にボタンを取り付け、残りのもう１つの箇所には、ボタンを留めるボタン穴を取り付け、結合部分を入れ子で取り付けることにより、取っ手の着脱を可能にするのと同時に、袋（ケース）本体のみでも袋（ケース）の口元開口部を、袋（ケース）口元に付いているボタンとボタンを留めるボタン穴とで結合できるため、袋（ケース）本体だけでも収納機能を持ち合わせた袋（ケース）として使用が可能になり、メインのバッグ・カバンの中の小分け収納袋（ケース）の役割も果たし、且つ取っ手を取り付けて持ち歩きできる手提げ袋としての役割を果たすことができるのである。
【発明の効果】
【０００８】  上述したように、本発明は、袋（ケース）本体と取っ手の結合箇所にボタンの取り付け方法を工夫することにより、取っ手の無い収納袋（ケース）として使用と取っ手の付いた手提げ袋としての使用が出来、１つの製品で使用目的にあわせた２ＷＡＹの使い方ができるのである。【０００９】  例えば、本発明の袋（ケース）本体に取っ手を付けずに収納袋（ケース）として、販売促進の目的で袋（ケース）本体に入るサイズのサンプルを入れて配布したり、カタログなどを定形外郵便物として袋（ケース）本体に入れて投函し配布することが可能で、それらを受け取った人が本発明の袋（ケース）本体に付属させている取っ手のパーツを袋（ケース）本体に取り付け手提げ袋としての使用ができる付加価値を備えた製品として評価される。【００１０】  サンプル配布や、カタログなどを配布する際に一般的には紙袋などが使用されている場合が多いが、本発明の袋（ケース）は、包装資材として不要・無駄にならないエコロジカルな発明でもある。
【図面の簡単な説明】
【００１１】
【図１】  本発明の使用形態を示す外観図
【図２】  袋（ケース）本体と取っ手の結合部分の構造説明図
【図３】  本発明の図２のボタン結合部分の詳細説明図
【発明を実施するための形態】
【００１２】  以下、本発明の使用形態と構造を図１〜３に基づいて説明する。
【００１３】  図１は、本発明の取っ手が取り付けられた状態の手提げ袋（図１−１）と取っ手を取り外した収納袋（図１−２）の外観を表現した図である。
【００１４】  図２は、本発明の手提げ袋の取っ手部分と袋本体の結合構造を説明した図である。袋本体口元に取り付けられるボタンは、袋本体の内側の面にそれぞれ取り付けられ、本Ａ▲１▼のボタンと取Ａ▲１▼のボタン穴、本Ａ▲２▼のボタン穴と取Ａ▲２▼のボタンを結合し、同じく本Ｂ▲１▼のボタンと取Ｂ▲１▼のボタン穴、本Ｂ▲２▼のボタン穴と取Ｂ▲２▼のボタンを結合し手提げ袋としての使用が可能となる。
【００１５】  取っ手パーツを取り外した場合に、本Ａ▲１▼のボタンと本Ｂ▲２▼のボタン穴、本Ａ▲２▼のボタン穴と本Ｂ▲１▼のボタンを結合することにより、袋の口元を閉ざした収納袋としての使用が可能となる。
【００１６】  図３は、本発明の手提げ袋として使用するために取っ手と袋本体のボタンの留め方を説明した図（図３−１）と、取っ手を付けずに袋本体のみで収納袋として使用するために本体袋の口元ボタンの留め方を説明した図（図３−２）である。
【図１】
2011161177.tif 000003
【図２】
2011161177.tif 000004
【図３】
2011161177.tif 000005
(57)【要約】【課題】  たて糸が摩耗を受けてよこ糸が露出したときに、容易にそれを視認することができ、ホースが破裂など事故が生じる前にその消防用ホースの使用の停止を促すことを目的とする。【解決手段】  たて糸２とよこ糸３とを筒状に織成したジャケット４の内面にゴム又は合成樹脂のライニング５を施してなる消防用ホース１において、少なくともジャケット１の外面がたて糸に覆われており、且つ前記よこ糸３がたて糸２と異なる色彩に着色されている。【選択図】          図１
2011161129.tif 000002
【特許請求の範囲】
【請求項１】
たて糸（２）とよこ糸（３）とを筒状に織成したジャケット（４）の内面にゴム又は合成樹脂のライニング（５）を施してなる消防用ホース（１）において、少なくともジャケット（１）の外面がたて糸に覆われており、且つ前記よこ糸（３）がたて糸（２）と異なる色彩に着色されていることを特徴とする、消防用ホース
【請求項２】
前記よこ糸（３）が、無着色の糸条（６）に、１／４以上の着色糸（７）が混入されていることを特徴とする、請求項１に記載の消防用ホース
【発明の詳細な説明】
【技術分野】
【０００１】
本発明は消防用ホースに関するものであって、特に使用により摩耗などの外傷が生じたときに、その損傷が生じたことを容易に視認することができる消防用ホースに関するものである。
【背景技術】
【０００２】
従来一般に消防用ホースは、たて糸とよこ糸とを筒状に織成したジャケットの内面にゴム又は合成樹脂のライニングを施してなるものであって、ライニングが漏水を阻止し、ジャケットが耐圧力を負担している。
【０００３】
そして通常ジャケットの外面がたて糸に覆われており、よこ糸はたて糸に隠れた状態となっている。これは消防用ホースに内圧が作用したときに、薄肉円管の例によって消防用ホースの周方向には単位幅当たり長さ方向の倍の荷重がかかるため、ジャケットのよこ糸が大きな荷重を負担することとなる。そのため、よこ糸が外傷を受ける可能性を減らすために、強度を負担するよこ糸をたて糸で覆って保護するのである。
【０００４】
しかしながら、使用に伴って摩耗などの外傷を受けると、まず最初にたて糸が摩耗されて損耗すると、そのたて糸の間からよこ糸が露出する。さらによこ糸にまで損傷が進むとよこ糸が傷つき、消防用ホースの耐圧力が低下し、極端な場合には消防用ホースが破裂する恐れもある。
【先行技術文献】
【特許文献】
【０００５】
【特許文献１】特開２００３−４１７４
【発明の概要】
【発明が解決しようとする課題】
【０００６】
本発明はかかる事情に鑑みなされたものであって、たて糸が摩耗を受けてよこ糸が露出したときに、容易にそれを視認することができ、ホースが破裂など事故が生じる前にその消防用ホースの使用の停止を促すことを目的とするものである。
【課題を解決するための手段】
【０００７】
而して本発明は、たて糸とよこ糸とを筒状に織成したジャケットの内面にゴム又は合成樹脂のライニングを施してなる消防用ホースにおいて、少なくともジャケットの外面がたて糸に覆われており、且つ前記よこ糸がたて糸と異なる色彩に着色されていることを特徴とするものである。本発明においては、前記よこ糸が、無着色の糸条に、１／４以上の着色糸が混入されていることが好ましい。
【発明の効果】
【０００８】
本発明によれば、常時はよこ糸はたて糸に覆われていて外部から見えないため、消防用ホースは外部からはたて糸の色のみが見える。しかしながらそのホースが摩耗などの損傷を受けると、たて糸が損傷してその損傷部からたて糸と異なる色彩のよこ糸が見えるため、たて糸が大きく損傷していることが容易に視認できる。
【図面の簡単な説明】
【０００９】
【図１】本発明の消防用ホースの一部の平面図
【図２】本発明の消防用ホースの横断面図
【図３】本発明の消防用ホースに縦断面図
【図４】本発明におけるよこ糸の一例を示す横断面図
【発明を実施するための形態】
【００１０】
以下本発明を図面に基づいて説明する。図面は本発明の消防用ホース１が摩耗により損傷した状態を示すものであって、図１はその平面図であり、図２及び図３はその横断面図及び縦断面図である。
【００１１】
この消防用ホース１は、たて糸２とよこ糸３とを筒状に織成してなるジャケット４の内面に、ゴム又は合成樹脂のライニング５を施してなるものであって、図面に示すように消防用ホース１の表面はたて糸２で覆われており、よこ糸３はたて糸２に埋入されて表面には現れていない。
【００１２】
図面においては、ジャケット４はたて糸２とよこ糸３とを平織組織で織成しているが、これは平織に限られるものではなく、２／１綾織などの表面にたて糸２が多く露出した綾織組織であっても差し支えない。
【００１３】
そして本発明においては、前記よこ糸３としてたて糸２と異なる色彩に着色された着色糸が使用されている。よこ糸３の色彩としては、たて糸２に対して目立ちやすい赤色系の色が好ましい。
【００１４】
またよこ糸３全体が一色に着色されていてもよいが、図４に示すように、無着色の糸条６に着色糸７を一部混入したものであってもよい。この場合には、着色糸７の量が少ないと損傷が生じたときに目立たないので、よこ糸３全体の１／４以上が着色糸７であることが好ましい。
【００１５】
本発明においては、ジャケット４のよこ糸３がたて糸２に覆われて表面に現れていないので、消防用ホース１を使用する際に摩耗などにより外傷が生じても、その外傷はたて糸２の範囲で止まり、直接よこ糸３に及ぶことがない。またたて糸２に少々の傷がついても消防用ホース１の耐圧力に悪影響を与えることはない。
【００１６】
しかしながら消防用ホース１が局部的に強い摩擦を受けることがあり、このような場合には図面に示すように、深い摩耗傷８が生じてジャケット４のたて糸２が抉られ、よこ糸３が露出することがある。
【００１７】
このような摩耗傷８を放置すれば、さらに損傷がよこ糸３にまで及び、消防用ホース１の耐圧力に悪影響を及ぼし、極端な場合には消防用ホースの破裂にも繋がり兼ねず、極めて危険である。
【００１８】
このとき本発明によれば、摩耗傷８から露出したよこ糸３がたて糸２とは異なる色彩に着色されているので、よこ糸が露出するほどの外傷が生じていることを容易に視認することができ、必要に応じて消防用ホース１の交換を促し、耐圧力の低下した消防用ホース１の使用を避けることができるのである。
【符号の説明】
【００１９】
１  消防用ホース
２  たて糸
３  よこ糸
４  ジャケット
５  ライニング
６  無着色糸
７  着色糸
【図１】
2011161129.tif 000003
【図２】
2011161129.tif 000004
【図３】
2011161129.tif 000005
【図４】
2011161129.tif 000006
(57)【要約】【課題】PTPシートは高齢者など手間取って錠剤をなかなか取り出すことができず、やっと出たと思ったら今度は転がり落としたりします。 【解決手段】錠剤は大小など様々な種類がありますが、（２）の回転する大小の穴により、錠剤の大きさによってほとんどの錠剤が取り出せ容器の中に納まるようにしました。また、（１）の凸部を円台錐にすることにより、取り出した後のPTPシートが剥がれ易くなっています。錠剤を取り出す際に作業が見やすいように本体の上部（８）は本体下部（９）よりも短く細くなっています。また、手が震えたりしてなかなか錠剤を取り出し口の上に置けなかったりしますので、その場合は本体から付属の錠剤を受ける容器（６）を外して、本体をテーブルなどに置き、錠剤を取り出せるようにしました。この場合でも錠剤は本体の取り出し口の下部の空間に集まりますので転がり落ちることがありません。 【選択図】  図１
2011161116.tif 000002
【特許請求の範囲】
【請求項１】
本体下部（９）にPTPシートから錠剤を取り出す為の穴を付け、その上に錠剤の大きさに合わせて二種類の穴がある回転する台座（２）があり、本体上部（８）にある錠剤を押し出す為の円台錐の凸部（１）で錠剤を押さえつけて押し出す道具。
【請求項２】
錠剤を押し出した時に下に転がり落ちるのを防ぐ為の取り外し可能な容器（６）が付属する。
【請求項３】
PTPシートから錠剤を取り出す際に錠剤を確認しやすいように本体上部（８）は本体下部（９）よりも短く、尚且つ細くなっている。
【請求項４】
錠剤を押し出す為の凸部（１）は錠剤を取り出した後にPTPシートが剥がれ落ちやすいように円台錐になっている。
【発明の詳細な説明】
【技術分野】
【０００１】
本発明は、錠剤のお薬をPTPシートから簡単に取り出すために考案しました。
【背景技術】
【０００２】
本来、お薬の錠剤が入ったPTPシートは、簡単に素手で取り出すことが出来ように工夫されております。
【０００３】
しかし、高齢者の方々には手間取って若者のように簡単に取り出すことができないことが多々あり、お薬を取りこぼしてテーブルから転げ落ちていったりすることも日常茶飯事となっています。
【０００４】
また、入院設備を供えた病院では、薬剤師の方々や看護士の方々が入院患者様のためにお薬を飲みやすくする為、
さらに誤飲を防ぐ為にお薬をPTPシートから取り出す作業をしていますが、大量のお薬を取り出すために苦労しているようです。
【０００５】
本発明により、お薬を簡単に取り出すことができ、また、付属の容器でお薬を溢すこともなく、さらに入院設備を供えた病院ではお薬の管理に対して効率化が図られます。
【先行技術文献】
【特許文献】
【０００６】
【特許文献１】特開２００８−５５１２８
【０００７】
【特許文献２】特開２００６−２１２３８９
【０００８】
【特許文献３】特開２０００−３２５４３２
【０００９】
【特許文献４】特開平１１−１３００２５
【００１０】
【特許文献５】特開平６−１２５９６７
【００１１】
【特許文献６】特開平７−３７１８３
【００１２】
【特許文献７】実開平６−８３０２９
【００１３】
【特許文献８】登実開３０４５７０１
【００１４】
【特許文献９】登実開３０１５１２８
【発明の概要】
【発明が解決しようとする課題】
【００１５】
解決しようとする問題点は、高齢者の指が思ったように動かずにお薬を取り出すのに手間取り、お薬を取りこぼしたりする点である。
【課題を解決するための手段】
【００１６】
本発明は、お薬を取り出すための穴にお薬を乗せて上から押し出すことで、下の付属の容器にお薬を受けることができる。また、手が震えてお薬を穴に乗せることができない場合などは付属の容器を外し、机の上に置いてからもお薬を取り出すことができるというのが主な特徴である。
【発明の効果】
【００１７】
お薬を取り出して飲むまでに錠剤が転がり落ちたり、きれいに出なかったりということを飲む度に繰り返していると、飲むのが億劫になりストレスがかかります。それが簡単に気持ちよく取り出すことが可能になり、負担なくお薬を飲んでもらえるようになります。
【図面の簡単な説明】
【００１８】
【図１】図１は本発明の斜視図である。
【図２】図２は１の拡大図である。お薬を取り出した後のＰＴＰシートがスムーズに剥がれるように円台錐になっている。
【図３】図３は本発明の側面図である。押し出すときに見やすいように本体上部（８）は本体下部（９）よりも短く、尚且つ細くなっている。
【図４】図４は２と９を上から見た図である。
【図５】９を上から見た図である。お薬を収納しやすいように本体下部の穴の方が（２）の台座の穴よりも大きくなっている。
【図６】８を下から見た図である。押し出すときに見やすいように先端部は細くなっている。
【図７】２を上から見た図である。大きい錠剤用と小さい錠剤用の二種類の穴がある。
【図８】２の断面図である。
【符号の説明】
【００１９】
１はお薬をプラスチックの外装から取り出すための凸部。お薬を取り出した後のＰＴＰシートがスムーズに剥がれるように円台錐になっている。
２はお薬の大きさに合わせて使う取り出すための台座で大きい錠剤用と小さい錠剤用の二種類の穴があり回転する。
３は大きいお薬用の取り出し穴。お薬が見えている方を上にして穴の上に置く。
４は小さいお薬用の取り出し穴。お薬が見えている方を上にして穴の上に置く。
５はお薬の大きさによって回転させるための２の中心軸。
６は取り出したお薬を受ける容器で取り外せる。
７は本体の支点。
８は本体の上部分。
９は本体の下部分。
１０はバネ。
【図２】
2011161116.tif 000003
【図６】
2011161116.tif 000004
【図７】
2011161116.tif 000005
【図８】
2011161116.tif 000006
【図１】
2011161116.tif 000007
【図３】
2011161116.tif 000008
【図４】
2011161116.tif 000009
【図５】
2011161116.tif 000010
(57)【要約】【課題】  発光装置（ＣＯＢモジュール）本来の眼目である発光量を減殺することなく、ＬＥＤにおける発光に際して発生する熱を高効率に拡散・放熱し得る封止部を提供する。【解決手段】  シリコーン樹脂からなる封止材中に、当該シリコーン樹脂よりも放熱性が高く、伝導度が高く、透明度が高い微粒子を添加させたことを特徴とする。前記微粒子がガラスであること、あるいは前記微粒子がダイヤモンドであること、また、前記微粒子がガラス及びダイヤモンドとからなることが好ましい。【選択図】  図１
2011119292.tif 000002
【特許請求の範囲】
【請求項１】
シリコーン樹脂からなる封止材中に、当該シリコーン樹脂に比して、放熱性が高く、熱伝導度が高く、透明度が同等又はそれ以上の微粒子を添加させたことを特徴とする発光装置（ＣＯＢモジュール）。
【請求項２】
前記微粒子がガラスである請求項１に記載の発光装置（ＣＯＢモジュール）。
【請求項３】
前記微粒子がダイヤモンドである請求項１に記載の発光装置（ＣＯＢモジュール）。
【請求項４】
前記微粒子がガラス及びダイヤモンドとからなる請求項１に記載の発光装置（ＣＯＢモジュール）。
【発明の詳細な説明】
【技術分野】
【０００１】
本発明は、発光装置（ＣＯＢモジュール）に関し、特には、発光効率を高めた発光装置（ＣＯＢモジュール）に関する。
【背景技術】
【０００２】
発光ダイオード（ＬＥＤ：Light Emitting Diode）は、表示装置（特許文献１参照）や発光装置（特許文献２参照）を始めとして、照明器具、ディスプレイ、液晶ディスプレイのバックライト光源などとして、広く利用されてきている。
ＬＥＤから光を取り出すには、ダイオード素子と、ダイオードに通電する導線とが必要であるが、発光した光を無駄にしないための反射材および光を減衰させることの少ない光透過材、更には所望の方向に指向させるための集光体（レンズ等）・取り出される光の色相を調節するための蛍光材等が用いられ、電気を光に変換するに際して発生する熱を伝導・放熱する方策を施すことも欠かすことができない。
【０００３】
ＬＥＤを利用した発光装置（ＣＯＢモジュール）は、図１を用いて説明すれば、装置基板２と、発光体たるＬＥＤチップ４、導電路たる回路パターン５、リフレクタ６、封止材７とで基本的に構成されるのが一般的である。なお、８は、回路間等を接続するワイヤ、である。
封止材としては、アクリル系、メタクリル系、エポキシ系など多種類のものが利用されるが、シリコーン系樹脂も用いられる（特許文献３参照）。また、ウレタン系が用いられることもある。中でも、特に青色の透過性特性から、シリコーン系樹脂が最近では多用されている。
ところで、シリコーン系樹脂は、熱伝導性の面では余り望ましい材料とは言い難く、ＬＥＤにおける発光に際して発生する発熱のために、高出力とし難い難点がある。
【先行技術文献】
【特許文献】
【０００４】
【特許文献１】特開平１０−２４２５２３号公報
【特許文献２】特開２００９−１１１２７３号公報
【特許文献３】特開２００９−１３５４８５号公報
【発明の概要】
【発明が解決しようとする課題】
【０００５】
本発明は、上記の問題を解決するもので、発光装置（ＣＯＢモジュール）本来の眼目である発光量を減殺することなく、ＬＥＤにおける発光に際して発生する熱を高効率に拡散・放熱し得る封止部を提供することを課題とする。
【課題を解決するための手段】
【０００６】
本発明の発光装置（ＣＯＢモジュール）は、シリコーン樹脂からなる封止材中に、当該シリコーン樹脂に比して、放熱性が高く、伝導度が高く、透明度が同等又はそれ以上の微粒子を添加させたことを特徴とする。
前記微粒子がガラスであること、あるいは前記微粒子がダイヤモンドであること、また、前記微粒子がガラス及びダイヤモンドとからなることが好ましい。
【発明の効果】
【０００７】
本発明によれば、シリコーン樹脂よりも放熱性が高く、熱伝導度が高く、透明度が高い微粒子を分散させたことにより、封止材中の光量伝導を減衰することなく伝熱・放熱することができ、高放光出量の発光装置（ＣＯＢモジュール）を実現することができる。
【図面の簡単な説明】
【０００８】
【図１】本発明の発光装置（ＣＯＢモジュール）の構造を示す説明図である。
【発明を実施するための形態】
【０００９】
本発明は、封止材のベースをなすシリコーン樹脂の熱伝導よりも熱伝導性の高い微粒子を封止材中に添加させることによって熱の放散を図ることを基本とする。
以下に、添付図面を参照しながら、本発明を詳細に説明する。
本発明は、透明であるシリコーン樹脂を封止材とする発光装置（ＣＯＢモジュール）をベースとする。
前述のとおり、シリコーン樹脂は、熱伝導・熱放出の面で物足りないところがあり、もう一段の改善が図れれば、発光させるための電流をそれだけ増加させることができる。
【００１０】
そのためには、シリコーン樹脂からなる封止材中に熱伝導・熱放出伝達の良好な材料を挿入することが考えられる。しかし、熱的な条件を満足しても、ＬＥＤから発光する光を効率的に外部に放出することができないのでは、何にもならない。したがって、熱の良導体であると同時に、光の良導体、すなわち、光に対して透明であることが望まれる。
【００１１】
ＬＥＤの周囲を囲繞する封止材には、ＬＥＤから発光される光の色調を調節するために、蛍光物体が混入される。その他、特許文献３に記載されるように、［１］光散乱剤として、［２］クラックの発生を防止する結合剤として、［３］粘度調整剤として、〔４〕封止剤部の収縮を低減するために、各種の無機粒子が混入されてきた。同文献では、無機粒子の例として、シリカ、チタン酸バリウム、酸化チタン、酸化ジルコニウム、酸化ニオブ、酸化アルミニウム、酸化セリウム、酸化イットリウムなどの無機酸化物粒子やダイヤモンド粒子が挙げられるが、目的に応じて他の物質を選択することもでき、これらに限定されるものではない、とされている。
【００１２】
しかし、同文献においては、混入される無機粒子の具備すべき性能として、“透明性”の必要性が認識されていなかった。そのため、「ダイヤモンド粒子」は、単に“無機粒子”の一つとして単に例示されるだけで、それ以上の“検討・検証”はなされていない。
同文献を含めて、従来、「ダイヤモンド粒子」を“混入粒子”とした例は、人工ダイヤモンド含めて、“検討・検証”はなされていない。
【００１３】
本発明は、この、混入される無機粒子の具備すべき性能として、“透明性”を導入したものである。
“透明性”としては、封止材として用いられるシリコーン樹脂と少なくとも同等程度であることが望ましく、同等以上とすることがより望ましい。
本発明では、封止材に混入される無機粒子として、従来［１］〜［４］として混入されていた無機粒子の少なくとも一部を代替するとして、ダイヤモンド粒子および／またはガラス粒子（図１における透明粒子９）が挙げられる。
その混入量としては、特に限定されない。また、その粒径も、特に限定されるものではないが、概ね、混入される蛍光物体の粒径とコンパラブルなものとすることができる。
【符号の説明】
【００１４】
１：発光装置（ＣＯＢモジュール）
２：装置基板
３：素子基板
４：ＬＥＤチップ
５：（導電路たる）回路パターン
６：リフレクタ
７：封止材
８：ワイヤ
９：透明粒子
【図１】
2011119292.tif 000003
(57)【要約】【課題】本発明は、点火時の着脱や開閉作業の解消として本体を容易に着脱し風雨や風にも安定し、内部の汚れなど管の清掃を容易にし、透かし文字で効果的に周囲を照明することができる灯明物・灯篭を提供する。【解決手段】灯明物・灯篭のカバー部分を容易に着脱することができ、清掃も容易にでき断熱、耐熱、耐火であり利便性に優れている。【選択図】なし【特許請求の範囲】
【請求項１】
本体に自在な空洞部を形成し、着脱自在に形成された開閉と灯火させる機構をもつ、断熱、耐熱、耐火の可視体を特徴とした灯明物・灯篭。
【請求項２】
風雨の侵入を防止し、容易に灯火可能を特徴とする灯明物・灯篭。
【請求項３】
灯篭の形成部に透かし彫りによる透視部には、飾り文字を円形、多角形の本体に形成されることを特徴とした灯明物・灯篭。
【請求項４】
飾り窓部の美観を向上し、しかも透かし部の変更を有し高低の灯台部が形成されていることを特徴とした灯篭風雨の侵入を防止し容易に灯火可能を特徴とする灯明物・灯篭。
【請求項５】
飾り窓に文字を有した門扉、門柱、外灯、フェンス、シャッター、郵便受け、広告塔、照明灯、墓石等、仏壇等、燭台、園芸灯、庭園灯等に用いる管材、棒材、板材、線材、塊材、のいずれかの組み立てを用いた結合灯篭を完成させた構造の趣旨を逸脱しない範囲の変更は、本発明に含まれる。
【発明の詳細な説明】
【技術分野】
【０００１】本発明は、設置される灯明物・灯篭を風雨から守ることと取り扱いを容易にすることの可視システムを提供するもの。
【背景技術】
【０００２】従来の灯明物・灯篭は、着火等に灯火物の出し入れがその都度なされている。複数の作業の場合、火が消える都度に操作が多くなる不便さがあった。灯火物・灯篭を風雨から保護されず火が消えやすい。
【発明の開示】
【発明が解決しようとする課題】
【０００３】点火時の着脱や開閉作業の解消として本体を容易に着脱し風雨や風にも影響されず安定し、内部の汚れなど管の清掃を容易にし透かし文字で効果的に周囲を照明することができる。
【課題を解決するための手段】
【０００４】灯明物・灯篭のカバー部分を容易に着脱することができ、ショックに強く壊れにくい。清掃も容易にでき不燃素材であることで利便性に優れている。
【発明の効果】
【０００５】灯明物・灯篭用防風カバーは風雨から守り美観にも優れ灯火周囲への紹介、宣伝の効果がある。【０００６】本体は好みの着色が可能なことから美観にも優れている。【０００７】灯明物・灯篭のデザインは必要に応じて、円形、多角形状に成型可能とし開閉も自在にできる。【０００８】本体は耐熱、断熱、耐火で必要に応じて空気の通行孔の増加、好みの着色、好みの模様、デザインの創意によって可能となる。【０００９】着脱可能が自在なので清掃、交換が容易である。【００１０】構造が簡単で破損の少ないことからも取り扱いの注意を払わなければならない煩わしさもなく灯篭の機能が保たれ構造上不良製品もなく安価に製造できる。
【発明を実施するための最良の形態】
【００１１】本発明の灯明物・灯篭の技術的形態を具現化し実施例について説明する。
【実施例】
【００１２】灯明物・灯篭文字の例は万灯火（マトビ）、大文字等の名物名を灯火構造に組み入れての一連の機能構造をもつ全体構造を維持し、多くの詳細形態の加えられ構造趣旨を逸脱しない範囲の変更は、本発明に含まれる。
【産業上の利用可能性】
【００１３】本発明は、灯明物・灯篭の点火時の操作が容易なことと風雨に耐え、耐熱、断熱、耐火に優れ、安全、安価であることから祭事に利用でき、デザインや形状の多様性により観光、宣伝に活用できる。特に家庭や寺社仏閣においては、火災防止を援ける。
(57)【要約】【課題】  反射板の幅が大きく見ばえが悪く、製造が手作業のため製造コストが掛かり過ぎ見ばえの良い製造コストが掛からない反射板を提供する。【解決手段】  上記の見ばえを解決するため反射板の角度を改良し幅を小さくしたことで解決しまし、製造コストは形枠を作りプレスすることで７０％削減しました、また取り付け後の反応を確認するため平成１３年から１１００台を設置し見ばえが問題ないことを実証しました。【特許請求の範囲】
【請求項１】
市販の高効率蛍光灯直管逆富士形高周波数Ｈｆ３２Ｗ１灯用３の反射板部分に頂上の広い富士山形状の反射板１を取り付け、直管型逆富士型蛍光灯４０Ｗ２灯用と同等照度を出す反射板。
【請求項２】
取り付け部材はステンレス製で全体は富士山の形状で取り付け穴が４個あり取り付けも安易な、直管型逆富士型蛍光灯４０Ｗ２灯用と同等照度を出す反射板。
【請求項３】
取り付け部材の反射板反射形状は効率よく必要な場所の照度を確保する蛍光灯４０Ｗ２灯用と同等照度を出す反射板。
【請求項４】
蛍光灯逆富士形４０Ｗ２灯用の設置位置にそのまま設置ができる蛍光灯４０Ｗ２灯用と同等照度を出す反射板。
【発明の詳細な説明】
【技術分野】
【０００１】  市販の高効率蛍光灯直管逆富士形高周波数Ｈｆ３２Ｗ１灯用に頂上の広い富士山の形状の反射板を取り付けることにより、直管型逆富士型蛍光灯４０Ｗ２灯用と同等照度を出す反射板。
【技術背景】
【０００２】  量販店、事務所、工場等で多く使用されている蛍光灯磁気式４０Ｗ２本用蛍光灯（最新の消費電力で７８Ｗから８８Ｗ）を高効率蛍光灯直管逆富士形高周波数Ｈｆ３２Ｗ１灯用（ランプ１本、消費電力が４５Ｗ）に取り替えることで約４２％から４９％電力コストが削減することが出来る。
【特許文献】
【発明の開示】
【発明が解決しようとする課題】
【０００３】  反射板の幅が大きく見ばえが悪い、見ばえの良い反射板を提供する。【０００４】  反射板の製造が手作業のため製造コストが掛かり過ぎ、コストを抑えた反射板を提供する。【０００５】  あらゆる業種や建物、場所に取り付けた時の反応確認済みの反射板を提供する。
【発明が解決するための手段】
【０００６】  上記の見ばえを解決するため反射板の角度を改良し幅を小さくしたことで解決しました。
【０００７】  上記の製造コストを解決するため製造を手作業から形枠を作りプレスで製造コストを７０％削減することが出来ました。
【０００８】  上記の取り付け後の反応を確認するため平成１３年から１１００台を設置し見ばえが問題ないことを実証しました。
【０００９】  上記の取り付け後の反応や削減効果を確認するため８年前から１１００台を設置し見ばえや削減金額を実証しました。
【発明の効果】
【０００１０】  直管逆富士形４０Ｗ２灯用の設置数が多く同じ場所に取り付けが出来作業コストが相当低減できた。
【０００１１】  市販の高効率蛍光灯直管逆富士形高周波数Ｈｆ３２Ｗ１灯用に反射板を取り付けるも４点止めで容易です。
【０００１２】  省エネ率が既存蛍光灯は７８Ｗから８８Ｗ（１００ボルト時）で高効率蛍光灯は４５Ｗで４２％から４９％で償却年数が相当抑えられた。
【発明を実施するための最良の形態】
【０００１３】（図面の説明）
以下の、本発明の形態を図面に基づき詳細に説明する。
図１は本発明の実施の形態を示す高効率蛍光灯直管逆富士形高周波数Ｈｆ３２Ｗ１灯用器具取り付け用反射板の斜視図です。図２は反射板の側面図です。図３は正面図です。図４は高効率照明器具に反射板を取り付けた時の縦図です。図５は光線図です。【０００１４】（反射板本体の説明）
反射板本体１の材質は、ステンレス製はＪＩＳ規格ＳＵＳ３０４で光輝熱処理を行い更に光沢を上げるため軽い冷間圧延を施したものです。【０００１５】  反射板本体１の断面形状は図１から図３に示すように、頂上が広い富士山形の形状としている、長方形の折り目１ａの平行に１０箇所折り曲げ頂上の広い富士形に形成している。【０００１６】  反射板本体１の取り付け穴２は図１、図３に示すように、４箇所あり、図４の２は取り付けリベットの姿です。【０００１７】  図４は高効率蛍光灯直管逆富士形高周波数Ｈｆ３２Ｗ１灯用３に反射板１を取り付け後の図です。【０００１８】  図５は蛍光ランプの簡略した光線図です。
【図面の簡単な説明】
【０００１９】
【図１】  本発明の実施の形態を示す高効率ランプ１灯用反射板の斜視図である。
【図２】  本発明の実施の形態を示す高効率ランプ１灯用反射板の側面図である。
【図３】  本発明の実施の形態を示す高効率ランプ１灯用反射板の正面図である。
【図４】  高効率ランプ１灯用器具に反射板を取り付け図である。
【図５】  本発明の反射板の光線図である。
【符号の説明】
【０００２０】  １は反射板本体
２は高効率１灯用蛍光灯取り付け穴
１ａは折り目
３は高効率１灯用蛍光灯器具本体
４は高周波数Ｈｆ３２Ｗランプ本体
【図１】
2011119196.tif 000002
【図２】
2011119196.tif 000003
【図３】
2011119196.tif 000004
【図４】
2011119196.tif 000005
【図５】
2011119196.tif 000006